(57)【要約】【課題】  従来の空調機などは、流動体に圧力を加え圧縮によって発生した熱を冷まし、圧力から解放する事で冷却する為に、室内と室外に機械が必要に成り圧力を加えることと送風することで、電力エネルギーなどを大量に消耗し、  またプラズマクラスターやナノイーなどの放電滅菌装置にも電力を使い定期的の交換が必要です。【解決手段】  空気中に存在する自由電子の活動による温度変化を、気体を磁化することで温度上昇にかかわる自由電子を磁気の道を作り回収し電気として放出し冷房とし、暖房は自由電子を放出する。  また気体を磁化することで、大気中の酸素をマイナスイオン化させ大気中の湿度化している水分との結合を促進させ、二酸化水素を作り大気中の細菌を滅菌させる。【選択図】図８
2018041708.tif 000002
【特許請求の範囲】
【請求項１】
磁石と磁石に間隔あけた複数個又は磁石と鉄など磁気反応物質間で磁気反応を発生させる複数個に、気体などが磁気反応している間を通過できる様に設け、磁気反応間を通過した気体などに磁気を帯びさせイオン化させる、イオン変換装置。
【請求項２】
磁石と磁石の間又は磁石と磁気反応物質の間で発生する磁束から一定の距離を空け、鉄など磁気反応物質を設置し磁気を帯びた気体や液体などの物質の流れを待つよう備え、磁気を帯びた物質が磁気反応物質まで移動することで、磁気を帯びない物質を含め流体物質が移動する、流体移動装置。
【請求項３】
大気中の電子が磁力範囲で磁石に集まることを利用し、それを磁石の磁束を移動させる事で誘導される電子を一定方向に導く構造体を作るため、円外周に磁石と非磁性の通電性物質又は磁石間に磁束が飛ぶように空間を空けた物質を交互均等に配置し回転するように備え、銅などの通電性物質に必要部分以外を電気絶縁し電子を通過するよう備え、回転する磁石で電子が通過するようにした通電物質を間に挟み回転する磁石の磁束がとどく範囲に回転する磁石を備える又は鉄など磁気反応物質を備え、回転体を回転させる又は回転体以外で磁気を移動させることで自由電子など電子を移動させる、電子ポンプ装置。
【請求項４】
自由電子を選別して通過させる半導体で、通電物質の粒子を絶縁物質に混ぜ固体化し着磁させない物質で、構成され配合物質や配合量により通過できる電子が決定される、静電気除去や発電する正極と負極の間に使用する半導体で半導体として使用する、着磁させないことを特徴とする電子通過制御半導体。
【発明の詳細な説明】
【技術分野】
【０００１】  本発明は、滅菌する空調機が発電する従来無い空調機に関する。
【背景技術】
【０００２】  従来の発電機、空気清浄機、冷暖房機などは、空間の温度、湿度、滅菌、発電などに作用する電子を考慮せず、変化が有れば使用してきました。
【先行技術文献】
【特許文献】
【０００３】
【特許文献１】  特開平０６−１４５２４
【特許文献２】  特開２００１−０３５６８４
【発明の概要】
【発明が解決しようとする課題】
【０００４】  以上に述べた従来の発電機、空気清浄機、冷暖房機などを、物理的に動作する装置だと、磁気抵抗や圧縮抵抗そして電気抵抗などが、動力源に負荷を与え、現在から未来に至る課題である。【０００５】  本発明は、従来の抵抗が与える動力元の負荷の問題を解決するものであり、動力負荷を低減し、滅菌、空調、発電することを目的とするものである。【０００６】  また、風や水流などの物質移動に限りある資源を大量に使う事は人類の課題であり、非磁気性で有っても原子や分子に電子が有る限り電子の方向は揃えられる、つまり電子の方向を定め流体を移動させる目的とするものである。【０００７】  そして静電気は人体に必要ですが、人体から放電するときに神経を刺激して痛みとして感じます、痛みを感じることなく放電する事を目的とするものである。
【課題を解決するための手段】
【０００８】  そして本発明は、上記目的を達成するために大気を磁化し、電子が磁気に集まる特徴を利用して熱源化した自由電子を電気として取り除く事で、残されたマイナスイオンを大気に拡散し気温を低下させ、集めた自由電子を電気エネルギーとして使いマイナスイオンは冷房として使い、磁気を通過した酸素はマイナスイオン化し空気中の水分子と結合し過酸化水素化した湿度を作り空気中の菌を殺菌する。【０００９】  また本発明は、流体電子の向きを磁石でそろえ、外部動力で流体を流せば流体を構成する原子や分子が磁気を帯びた状態になり磁気反応物質に向かうことになり流体が流れる連鎖反応を起こして、外部動力を不要又は補助する、流体が連鎖反応をおこす。
【発明の効果】
【００１０】  上述したように本発明の磁気発電装置は、気体を磁化し滅菌し磁気に集まる自由電子などを磁気誘導で集め、発電し磁気誘導しない自由電子など含まない冷えた気体を外部に排出し、外部気体が持つ自由電子を吸収し中和する事で冷却することができ、冷房しながら発電と除菌できる空調機を提供できる。【００１１】  また、イオン変換装置単体に風力を与えれば気体を磁化させ、気体中の自由電子を集めマイナスイオンとプラスイオンをつくり、空気中に含まれている酸素イオンをイオン強化し、湿度と化している水分とイオン結合し二酸化水素化した湿度に変化させ、二酸化水素が分解され酸素を吐き出し水分になる時点で滅菌作用が有ります、なお加熱水蒸気を使用しない、加湿器を使用すれば滅菌効果が向上する、つまり通風している箇所に設置すれば、電気を使わず得られる、空気清浄機として提供できる。【００１２】  そして、電磁誘導装置の給電部を自由電子が集まる温度が高い地底から電気絶縁と保温など温度絶縁した通電性の高い物質でつなげば、発電機として提供できる。【００１３】  そして、電気は人体に静電気として存在し通電物質に触れると吸収されるが、過度に流されるために痛みを感じるが接触する部分間に電子通過制御半導体があれば通過する電気を制限でき痛みを感じること無く通電物質に流れる。
【図面の簡単な説明】
【００１４】
【図１】  イオン変換装置の側面断面図
【図２】  イオン変換装置の上部断面図
【図３】  イオン変換装置の送風により磁気を帯びた空気に変わる様子
【図４】  電子ポンプ装置の上部断面図
【図５】  電子ポンプ装置の上部断面図で電子が空間放出ようにした形状
【図６】  通電物質と電気絶縁物質を混合した状態
【図７】  イオン変換装置を備えた空気清浄機の配置図
【図８】  電子が変化するイメージ図
【発明を実施するための形態】
【００１５】  以下、本発明の実施の形態を図１〜図８に基づいて説明する。
【実施例】
【００１６】  図において、１はイオン変換装置で、磁石１や磁石１と鉄など磁気反応２の配置を表している。【００１７】  ２は空気が磁石１と磁石１や磁石１と鉄など磁気反応物質２の空間を通過することで磁化される様子を表している。【００１８】  ３は空気がイオン変換装置を通過することで、磁石１により強制的に空気中成分の電子の極性がそろえられ、通風することで自由電子が集まり、酸素などが湿度化した水分と結合する、【００１９】  ４は均等交互に磁石１と通電物質８が回転軸受けを中心に回転する構造体を設置し同様の磁石１の磁力が届く範囲で同様の回転構造体を設置し、回転方向に電子を導くように備え、回転体と回転体の空間に必要箇所を除き電気絶縁した銅など通電物質１０を設置し回転体を、外部動力で回転させ必要箇所を除き電気絶縁した銅など通電物質１０を回転体の電子に導かれ自由電子が通過する。【００２０】  ５は４で説明した構造体の電子入力口から出力口までの断面の面積を出力口に向かう方向に断面積を狭めて、電圧と電流を上げ放電形状１２から空気放電する。【００２１】  ６は電気絶縁物質１３に通電物質１４を混ぜ合わせた状態で、電気など電子が通過するときに通電物質１４と電気絶縁物質１３が交互にあるため通電など電子の通過を制限でき、人体に痛みを感じる過電流は流れない、また材質を変え物質の混合比を変えることで、通過する電子の種類に対応できる。【００２２】  ７はイオン変換装置７が空気清浄機１８に使用した実施例で、空気４が空気フィルター１５を通過し送風機６、イオン変換装置７を通過しイオンとイオン化された空気が加熱式以外の加湿器１７から発生した水蒸気と加湿混合１６で水蒸気と酸素が結びつき、加湿され空気と共に外部に放出１９され空間を滅菌する。【００２１】  ８は空気４に電子方向２０の周囲に存在する自由電子２１を磁石１と磁石１の空間に送り自由電子を含み磁力で延ばされた電子２２より剥離された自由電子２１が自由電子の入口と出口以外電気絶縁した銅など通電物質の集電部分２４で吸収され磁石と非磁性通電物質を均等に交互に配置した外周を持つ回転体２６の回転方向２７に導かれ自由電子の入口と出口以外電気絶縁した銅など通電物質の送電部分２５を経由し送電線２８に送られ残された磁気を帯びた空気５は自由電子２１が減少した状態で外部空気４の自由電子２１を奪う。
【符号の説明】
【００２２】１    磁石
２    鉄など磁気反応物質
３    非磁性ケース
４    空気
５    磁気を帯びた空気
６    送風機
７    イオン変換装置
８    銅など通電物質
９    回転軸受け
１０  必要箇所を除き電気絶縁した銅など通電物質
１１  外部出力
１２  放電形状
１３  電気絶縁物質
１４  通電物質
１５  空気フィルター
１６  イオンと加湿混合
１７  加熱式以外の加湿器
１８  空気清浄機
１９  イオン化された空気が加湿され外部に放出
２０  空気中の電子方向
２１  自由電子
２２  自由電子を含み磁力で延ばされた電子
２３  磁力で延ばされた電子
２４  自由電子の入口と出口以外電気絶縁した銅など通電物質の集電部分
２５  自由電子の入口と出口以外電気絶縁した銅など通電物質の送電部分
２６  磁石と非磁性通電物質を均等に交互に配置した外周を持つ回転体
２７  回転方向
２８  送電線
【図１】
2018041708.tif 000003
【図２】
2018041708.tif 000004
【図３】
2018041708.tif 000005
【図４】
2018041708.tif 000006
【図５】
2018041708.tif 000007
【図６】
2018041708.tif 000008
【図７】
2018041708.tif 000009
【図８】
2018041708.tif 000010